(57)【要約】  ビデオ制御ユニット（セットトップボックス）は、第１に、ＴＶブランドのタイプが何であれ、前記セットトップボックスのメモリに含まれるテストパターンを用いて較正をアシストし、第２に、ビデオディスプレイの特定の表示技術と、受信されるビデオ信号のコンテンツのタイプとを取得し、最後に、前記コンテンツのタイプと、前記表示技術とに応じて、特定の画像向上アルゴリズムを適用する、又は既存の画像を微調整するよう構成される。
2010518722.tif 000002
【特許請求の範囲】
【請求項１】
ビデオ信号を処理し、そのように処理された前記ビデオ信号をビデオディスプレイに送るためのビデオ制御ユニットであって、前記ビデオ制御ユニットが、一般的な画像較正情報が記憶される不揮発性メモリと、ユーザが前記ビデオディスプレイを最適化することを可能にするために、その一般的な画像較正情報を前記ビデオディスプレイに送る手段とを有することを特徴とするビデオ制御ユニット。
【請求項２】
前記一般的な画像較正情報が、前記ビデオ制御ユニットが立ち上げられるときに前記ビデオディスプレイに送られることを特徴とする請求項１に記載のビデオ制御ユニット。
【請求項３】
受信される前記ビデオ信号のコンテンツ情報テーブルから前記コンテンツの性質について抽出する手段と、前記ビデオ信号を前記ビデオディスプレイに送る前に、前記コンテンツ情報テーブルを用いて、前記ビデオ信号を前記コンテンツの前記性質に適合させる手段とによって特徴づけられる請求項１に記載のビデオ制御ユニット。
【請求項４】
前記ビデオ制御ユニットに接続される前記ビデオディスプレイの特定のタイプに関するパラメータを前記ユーザが入力することを可能にするユーザインタフェースと、前記特定のタイプのパラメータを記憶する手段と、前記特定のタイプのディスプレイに送られる前記ビデオ信号を適合させるために前記パラメータを用いる手段とによって特徴づけられる請求項１に記載のビデオ制御ユニット。
【請求項５】
前記ビデオディスプレイとの接続のために、ＨＤＭＩコネクタを有し、前記ＨＤＭＩコネクタを介して、前記ビデオディスプレイの特定のタイプに関するパラメータを受け取る手段と、前記特定のタイプのパラメータを記憶する手段と、前記特定のタイプのディスプレイに送られる前記ビデオ信号を適合させるために前記パラメータを用いる手段とによって特徴づけられる請求項１に記載のビデオ制御ユニット。
【発明の詳細な説明】
【技術分野】
【０００１】
本発明は、ビデオ信号を処理し、そのように処理された前記ビデオ信号をビデオディスプレイに送るためのビデオ制御ユニットに関する。
【背景技術】
【０００２】
多くの場合「セットトップボックス」（ＳＴＢ）と呼ばれるこのようなビデオ制御ユニットは、ビデオディスプレイ（テレビ受像機）と、衛星アンテナ、テレビ信号を供給する同軸ケーブル、普通のＶＨＦ若しくはＵＨＦアンテナ、イーサネット（登録商標）ケーブル、又はＤＳＬ接続を備える電話線などの、信号の１つ以上の外部供給源とに接続する役割を果たす。セットトップボックスの基本的な機能は、入って来る信号が、接続されたビデオディスプレイにおいて適切に表示され得るように、入って来る信号を選択し、処理することである。
【発明の概要】
【発明が解決しようとする課題】
【０００３】
本発明の目的は、全ての実際的な状況においてユーザに可能な限り最高の画質を与える一方で、エンドユーザがすることがほとんどないように、信号最適化がかなりの程度まで自動的に進むセットトップボックスを提供することである。
【課題を解決するための手段】
【０００４】
この理由のため、本発明のビデオ制御ユニットの第１の態様は、前記ビデオ制御ユニットが、一般的な画像較正情報が記憶される不揮発性メモリと、前記ユーザがビデオディスプレイを最適化することを可能にするためにその一般的な画像較正情報をビデオディスプレイに送る手段とを有することを特徴とする。好ましくは、前記ビデオ制御ユニットは、更に、前記一般的な画像較正情報が、前記ビデオ制御ユニットが立ち上げられるときに前記ビデオディスプレイに送られることを特徴とする。
【０００５】
この出願においては、「一般的な画像較正情報」という用語は、いかなるタイプ又はブランドのビデオディスプレイにも送られ得る情報であって、前記情報によって、前記ユーザが、画像のコントラスト、明るさ、色（彩度）、色合い（色相）及びシャープネスのようなパラメータを容易に最適化することができる情報を意味するものである。前記一般的な較正情報は、例えば、３つ又は４つの静止画テストパターンを含み得る。このようなそれ自体よく知られているテストパターンは、前記ユーザが前記ユーザのディスプレイの一般的なパラメータを最適化するのに役立ち得る。
【０００６】
この動作のために、前記セットトップボックスと前記ビデオディスプレイとの間のあらゆる接続、アナログ（ＳＣＡＲＴ、コンポーネント、コンポジット若しくはＹ−Ｃコネクタ）又はデジタル（ＨＤＭＩ（登録商標））が用いられ得る。また、モニタからリアプロジェクション、ＣＲＴ又はフラットテレビまであらゆるタイプのディスプレイが含まれ得る。前記セットトップボックスを立ち上げるときに、前記ディスプレイを設定する特定のスクリーン・インタフェース・アドレス「画像較正」が、前記セットトップボックスから前記ディスプレイに伝達される。起動させられるときに、前記静止画テストパターンがテレビに送られる。次いで、前記エンドユーザは、アプリケーションによって、前記エンドユーザのディスプレイの明るさ、色、コントラスト、色合い及びシャープネスの適正な値を設定するよう要求される。新しい値は、通常通り、今後の使用のために前記ビデオディスプレイに記憶され、故に、前記一般的な画像較正情報の設定は、一度しかされる必要がない。
【０００７】
好ましくは、本発明によるビデオ制御ユニットは、受信されるビデオ信号のコンテンツ情報テーブル（ＤＶＢ―ＳＩテーブル）から（標準精細度又は高精細度、Ｐａｌ又はＮＴＳＣ関連、用いられる圧縮システムなどの）前記コンテンツの性質について抽出する手段と、前記ビデオ信号を前記ビデオディスプレイに送る前に、前記コンテンツ情報テーブルを用いて、前記ビデオ信号を前記コンテンツの前記性質に適合させる手段とによって更に特徴づけられ得る。この方法によって、前記ユーザによって見られるコンテンツのタイプが、前記ビデオディスプレイに送られる前記ビデオ信号の較正又は修正のために考慮に入れられる。この方法は、処理される前記ビデオ信号が、高精細度のものである場合又は標準精細度のものである場合、スポーツイベントに関する場合又は標準精細度のショーに関する場合などに、信号パラメータの設定が異なることを考慮に入れる。
【０００８】
前記ビデオ信号のコンテンツに関する有用な情報は、ＤＶＢ  ＳＩテーブル（ETSI EN 300 468 v1.7.1 2005-08参照）から抽出され得る。我々は、サービスの名前及び他のパラメータを一覧表示するのに用いられるサービス記述テーブル（ＳＤＴ）に特に焦点を合わせることができる。このテーブルには特に興味深い２つの記述子がある。第１の記述子は、標準精細度又は高精細度コンテンツ、ＭＰＥＧ２又はＨ２６４／ＡＶＣビデオ圧縮システム、ＰＡＬ関連又はＮＴＳＣ関連システム（２５Ｈｚ又は３０Ｈｚ）といった情報を我々に与える「コンポーネント記述子」である。第２の記述子は、映画／ドラマ、ニュース／時事、ショー、ゲーム、スポーツ、音楽…などのコンテンツのタイプの情報をもう少し与える「コンテンツ記述子」である。
【０００９】
更に、本発明によるビデオ制御ユニットは、前記ビデオ制御ユニットに接続される前記ビデオディスプレイの特定のタイプ（液晶ディスプレイ、プラズマ、ブラウン管、ビデオプロジェクタ、リアプロジェクタ）に関するパラメータを前記ユーザが入力することを可能にするユーザインタフェースと、前記特定のタイプのパラメータを記憶する手段と、前記特定のタイプのディスプレイに送られる前記ビデオ信号を適合させるために前記パラメータを用いる手段とによって特徴づけられ得る。前記ビデオ制御ユニットが立ち上げられるときに、前記セットトップボックスの前記ユーザインタフェースにウインドウが表示され得る。次いで、前記アプリケーションが、前記セットトップボックスに接続されるビデオディスプレイのタイプ、ＬＣＤ又はプラズマ又はＣＲＴ又はビデオプロジェクタ又はリアプロジェクタを選択するよう前記ユーザに要求する。一度これが行われたら、情報は、今後の全ての機会のために、前記セットトップボックスに記憶される。
【００１０】
ここで、前記セットトップボックスは、受信されるコンテンツの（ビットレート、圧縮技術、テレビジョン方式、高精細度などの）タイプと、前記画像を表示するのに用いられる表示技術の（液晶ディスプレイ、プラズマなどの）タイプとを知る。これらの全ての情報により、これ以上、較正が前記エンドユーザによって行われる必要なしに、最良の画像を得るために前記コンテンツを適合させることが非常に容易になる。前記セットトップボックスによって行われる動作は、例えば、
−    前記セットトップボックスのガンマフィルタを適合させるステップと、
−    画像強調アルゴリズム（例、ＬＴＩフィルタ）を微調整するステップと、
−    デブロッキング／デリンギングアルゴリズムを微調整するステップ、即ち、ビットレートが十分に良好である場合に、それを最小化する、又はそれを抑制するステップとを含み得る。
【００１１】
前記ビデオディスプレイが、ＨＤＭＩ接続を通して前記ビデオ制御ユニットに接続される場合には、前記ＨＤＭＩの規格の特定の記述子を介して、前記ビデオディスプレイの特定のタイプ（液晶ディスプレイ、プラズマ、ＣＲＴ、ビデオプロジェクタ、リアプロジェクタ）に関するパラメータを受け取る手段と、前記特定のタイプのパラメータを記憶する手段と、前記特定のタイプのディスプレイに送られる前記ビデオ信号を適合させるために前記パラメータを用いる手段とによって、本発明のビデオ制御ユニットは、特徴づけられてもよく、前記ビデオディスプレイの特定のタイプに関するパラメータを入力するための前記ユーザインタフェースは、省かれ得る。
【００１２】
添付の図面を参照して本発明を更に説明する。
【図面の簡単な説明】
【００１３】
【図１】本発明が用いられるビデオ制御ユニットの構成である。
【図２】ユーザが、用いられるビデオディスプレイのタイプに関してパラメータを選択することを可能にするためのユーザインタフェースのビデオディスプレイの例である。
【発明を実施するための形態】
【００１４】
図１のビデオ制御ユニットは、チューナ１、復調段２、受信されたビデオ及びオーディオ信号を多重分離するためのデマルチプレクサ３、ビデオデコーダ４、オーディオデコーダ５、及び復号されたビデオ及びオーディオ信号を処理するための後処理回路６などの通常の素子を有する。図１のブロック図において、矢印は、ブロック間の主な信号伝達を示している。
【００１５】
後処理回路６からの信号は、オーディオ／ビデオスイッチ７を通して、ＨＤＭＩパーサ１３を介するデジタルＨＤＭＩ出力部９又はアナログ出力部８に加えられる。このアナログ出力部は、一般に、ＳＣＡＲＴコネクタ、コンポーネントコネクタ又はコンポジットコネクタであり得る。
【００１６】
図１のビデオ制御ユニットは、不揮発性メモリ１０を更に有する。この不揮発性メモリは、例えば、カラーバーを備えるチャート、マルチバーストバーを備えるチャート、及びビデオディスプレイの明るさ及びコントラストの設定を容易にするチャートなどの一般的な画像較正情報を記憶している。この情報は、後処理回路に加えられ、そこで、ビデオ制御ユニットのビデオチャネルに加えられ、それ故、ビデオ制御ユニットに接続されたビデオディスプレイに送られる。
【００１７】
受信されるビデオ信号のコンテンツの性質に関する情報は、デマルチプレクサ３においてビデオ信号から抽出され、揮発性メモリ１１に記憶される。この情報は、後処理回路６において、ビデオ信号を適切に修正するために、例えば、信号のビットレートを修正するために用いられる。
【００１８】
最後に、ビデオディスプレイのタイプに関する特定の情報も、揮発性メモリ１１に記憶され、後処理回路に加えられる。この特定の情報は、ユーザによってユーザインタフェース１２を用いて入力され、揮発性メモリ１１に記憶され、後に、後処理回路６において信号を修正するのに用いられ得る。好ましくは、ユーザインタフェース１２は、図２に示されているように選択メニューを表示するインタフェースディスプレイを含み得る。他の例においては、ビデオディスプレイがＨＤＭＩインタフェース９を通してビデオ制御ユニットに接続される場合には、この特定の情報は、ＨＤＭＩパーサ１３を介して自動的に集められ、確認のためにビデオディスプレイに送られる前に、揮発性メモリ１１に送られる。
【図１】
2010518722.tif 000003
【図２】
2010518722.tif 000004
【国際調査報告】
2010518722.tif 000005
2010518722.tif 000006
2010518722.tif 000007